(57)【要約】【課題】  従来の磁気処理装置は、棒状に配置された磁石から出る磁力線は弧を描き、そこを通過する流体に一部を除いて磁力線が直角に作用することにはならず、効率が良くないものであった。軸方向に配設した複数の円柱形磁石を用いながら、流体に直角の磁力線を形成させ、燃料を十分に磁化させることができる燃料の磁気化装置を提供することを課題とする。【解決手段】  軸方向に配設した複数の円柱形磁石を用いながら、その周囲にも複数の筒状磁石を配設した。棒状磁石組の磁極と筒状磁石組の磁極は、強力かつ流体に対し直角に効率よく磁力線が作用するよう、引き合う磁極を対面に設けたことを特徴とする磁気処理装置である。【選択図】図１
2008121442.tif 000002
【特許請求の範囲】
【請求項１】
非磁性体筒内部に、複数個の円柱形永久磁石が軸方向に列をなして配設された棒状磁石組と複数個の環状永久磁石が軸方向に列をなして配設された筒状磁石組の隙間に設けた非磁性体螺旋に沿って、燃料が通過するようにしたことを特徴とする燃料の磁気化装置。
【請求項２】
前記棒状磁石組は複数個の隣り合う円柱形磁石の間に、磁性体を挟んだ状態で同一磁極が対向するように組み付けられ、その磁性体は磁石の外径よりも大径に形成されたことを特徴とする請求項１記載の燃料の磁気化装置。
【請求項３】
前記筒状磁石組は複数個の隣り合う環磁石の間に、磁性体を挟んだ状態で同一磁極が対向するように組み付けられ、その磁性体は磁石の外径と同径に、内径よりも小径に形成されたことを特徴とする請求項１記載の燃料の磁気化装置。
【請求項４】
棒状磁石組のＮ極Ｓ極に対し、筒状磁石組のＳ極Ｎ極が対極するように配設されたことを特徴とする請求項１記載の燃料の磁気化装置。
【発明の詳細な説明】
【技術分野】
【０００１】
本発明は、自動車、船舶等のエンジン、エンジン発電機及び、ボイラー等のバーナーに供給する燃料系統に設置する装置であって、エンジン、バーナー等への供給燃料を磁力によって磁気処理するようにした燃料の磁気化装置に関する。
【背景技術】
【０００２】
磁力に液体を通過させることにより分子結合を細分化し、燃焼効率を向上させようとする磁気処理装置の提案が数多くなされている。これは、流体がある速度で磁界を通過するときに、流体分子の磁気モーメントと、磁界の相互作用によって流体分子が励起され、不安定な活性状態を作り出すためであるとされている。
【０００３】
従来の燃料パイプ装着の磁気処理装置として、燃料パイプをカットして装着するタイプのものがあり、このなかで、棒状に配置された磁石の外周を螺旋状に燃料を導く構造のものがある（特許文献１参照。）。
【特許文献１】特開２００１−２７１７１５号公報
【発明の開示】
【発明が解決しようとする課題】
【０００４】
以上の技術によれば、棒状に配置された磁石から出る磁力線は弧を描き、そこを通過する流体は磁力線を直角に横切ることにはならない。そこで、この発明は、磁力線を流体に対して直角に効率よく作用させる磁気処理装置を提供することを課題とする。
【課題を解決するための手段】
【０００５】
以上の課題を解決するために、第一発明は、非磁性体筒内部に、複数個の円柱形永久磁石が軸方向に列をなして配設された棒状磁石組と複数個の環状永久磁石が軸方向に列をなして配設された筒状磁石組の隙間に設けた非磁性体螺旋に沿って、燃料が通過するようにしたことを特徴とする燃料の磁気化装置である。
【０００６】
第二発明は、棒状磁石組において、複数個の隣り合う円柱形磁石の間に、磁性体を挟んだ状態で同一磁極が対向するように組み付けられ、その磁性体は磁石の外径よりも大径に形成されたことを特徴とする燃料の磁気化装置である。
【０００７】
第三発明は、筒状磁石組において、複数個の隣り合う環磁石の間に、磁性体を挟んだ状態で同一磁極が対向するように組み付けられ、その磁性体は磁石の外径と同径に、内径よりも小径に形成されたことを特徴とする燃料の磁気化装置である。
【０００８】
第四発明は、棒状磁石組のＮ極Ｓ極に対し、筒状磁石組のＳ極Ｎ極が対極するように配設されたことを特徴とする燃料の磁気化装置である。
【発明の効果】
【０００９】
以上のように棒状磁石組と筒状磁石組を兼ね備えることによって、お互いの磁力が引き合い、棒状磁石組と筒状磁石組の隙間に、放射状の流体に直角な磁力線を形成することができ、磁力線のロスとむらのない磁気処理装置を提供できる。
【発明を実施するための最良の形態】
【００１０】
この発明の実施形態を、図１に示す。
１は円柱形永久磁石１aと円形磁性体１bを棒状に組んだものを非磁性体筒1c内部に封入した棒状磁石組である。２は非磁性体の燃料通過パイプで、両端には燃料ホース接続部３を設けている。環状永久磁石４と環状磁性体５を筒状に組んだものが非磁性体筒６の内部に組み込まれている。
【００１１】
図２は、棒状磁石組１の断面を示したもので、円柱形永久磁石１a複数個と円形磁性体１bとを組み合わせ、なおかつ円柱形永久磁石1aの隣り合う同士が反発するよう同一磁極を対向させて組んである。これを、非磁性体筒１cに納め、非磁性体の栓１dで密閉されている。この棒状磁石組１の外周に沿って非磁性体螺旋７が配設されている。
【００１２】
前記円形磁性体１bは、円柱形永久磁石１aの外径よりも大径に形成されることにより、この外周に磁極を集中させることができる。
【００１３】
図３は、棒状磁石組１と筒状磁石組の対極の関係を示したものである。環状磁石４複数個は、円柱形磁石１aと同数で構成され、隣り合う磁石同士が反発するよう同一磁極を対向させて組んであり、磁石間と両端には環状磁性体５が配設されている。
【００１４】
環状磁性体５の外径及び内径は、環状磁石４の外径と同径に、内径よりも小径に形成されている。この環状磁性体５は、環状磁石４の外径と同径に、内径よりも小径に形成されることにより、この内周に磁極を集中させることができる。
【００１５】
筒状磁石組の中心に棒状磁石組１が配設されることになるが、筒状磁石組のＳ極が棒状磁石組１のＮ極に、Ｎ極がＳ極に対極するように組まれている。図４は、図１の一部拡大断面でＮ極とＳ極の対極と磁力線を示したものである。
【００１６】
磁気処理装置のポイントに、フレミングの法則があり磁力線を直角に横切ったときに電気エネルギーが起こることにある。他に流速と磁力の強さの関係もあり、いかに効率よく直角に磁力を流体に作用させるかが重要なポイントとなる。
【００１７】
この実施形態によれば、磁石と磁石の間に磁石から飛び出して磁性体を設けることにより、その部分に磁力を集中させることができ、通油路に強力な磁力線を放つことができる。又、棒状磁石組と筒状磁石組を組み合わせ、兼ね備えることで流体燃料に直角の磁力線を放射状に形成することができ、効率よくむらのない磁気化を図る事ができ、燃費効率改善の効果が得られる。
【図面の簡単な説明】
【００１８】
【図１】この発明の実施形態を示す磁気処理装置の断面図である。
【図２】棒状磁石組の断面図である。
【図３】棒状磁石組と筒状磁石組の対極の関係を示した斜視図である。
【図４】棒状磁石組と筒状磁石組を組み合わせたときの断面に於ける磁力線の図
【符号の説明】
【００１９】
１  棒状磁石組
１a  円柱形永久磁石
１b  円形磁性体
１c  非磁性体筒
１d  非磁性体栓
２  非磁性体燃料通過パイプ
３  燃料ホース接続部
４  環状永久磁石
５  環状磁性体
６  非磁性体筒
７  非磁性体螺旋
８  燃料ホース接続部取付ナット
９  環状永久磁石押さえ蓋
１０  燃料流路
【図１】
2008121442.tif 000003
【図２】
2008121442.tif 000004
【図３】
2008121442.tif 000005
【図４】
2008121442.tif 000006